(57)【要約】  電波品質計測部（４０７）は、ファームウェアが搭載されている組込み機器との無線通信リンクにおける電波品質を計測する。判定部（４０６）は、電波品質計測部（４０７）の計測結果に基づき、ファームウェアを更新する更新ファームウェア（１０２）を無線通信リンクを介して組込み機器に送信すべきか否かを判定する。
2018020584.tif 000002
【特許請求の範囲】
【請求項１】
ファームウェアが搭載されている組込み機器との無線通信リンクにおける電波品質を計測する電波品質計測部と、
前記電波品質計測部の計測結果に基づき、前記ファームウェアを更新する更新ファームウェアを前記無線通信リンクを介して前記組込み機器に送信すべきか否かを判定する判定部とを有するゲートウェイ装置。
【請求項２】
前記ゲートウェイ装置は、更に、
前記判定部により前記更新ファームウェアを前記無線通信リンクを介して前記組込み機器に送信すべきと判定され、前記ゲートウェイ装置のユーザから前記更新ファームウェアの前記組込み機器への送信が指示された場合に、前記更新ファームウェアを前記無線通信リンクを介して前記組込み機器に送信する更新実行部を有する請求項１に記載のゲートウェイ装置。
【請求項３】
前記ゲートウェイ装置は、更に、
前記電波品質計測部の計測結果を出力する計測結果出力部を有する請求項１に記載のゲートウェイ装置。
【請求項４】
前記電波品質計測部は、
複数の組込み機器について、組込み機器ごとに無線通信リンクにおける電波品質を計測し、
前記計測結果出力部は、
組込み機器ごとに前記電波品質計測部の計測結果を出力する請求項３に記載のゲートウェイ装置。
【請求項５】
前記ゲートウェイ装置は、可搬ゲートウェイ装置であり、
前記計測結果出力部は、
前記電波品質計測部により計測された電波品質が既定の品質未満である組込み機器に前記ゲートウェイ装置を接近させるよう前記ゲートウェイ装置のユーザに依頼するメッセージを出力する請求項４に記載のゲートウェイ装置。
【請求項６】
前記ゲートウェイ装置は、可搬ゲートウェイ装置であり、
前記ゲートウェイ装置は、更に、
前記ゲートウェイ装置の移動を検出するゲートウェイ移動検出部と、
前記ゲートウェイ移動検出部により前記ゲートウェイ装置の移動が検知された場合に、前記ゲートウェイ装置のユーザに前記ゲートウェイ装置の移動を停止するよう依頼するメッセージを出力するメッセージ出力部とを有する請求項１に記載のゲートウェイ装置。
【請求項７】
前記組込み機器は、可搬組込み機器であり、
前記ゲートウェイ装置は、更に、
前記組込み機器の移動を検出する機器移動検出部と、
前記機器移動検出部により前記組込み機器の移動が検知された場合に、前記ゲートウェイ装置のユーザに前記組込み機器の移動を停止するよう依頼するメッセージを出力するメッセージ出力部とを有する請求項１に記載のゲートウェイ装置。
【請求項８】
前記ゲートウェイ装置は、更に、
前記ファームウェアの更新が完了するまでの時間である更新完了時間を予測する更新完了時間予測部と、
前記更新完了時間予測部により予測された更新完了時間を出力する更新完了時間出力部とを有する請求項１に記載のゲートウェイ装置。
【請求項９】
コンピュータが、ファームウェアが搭載されている組込み機器との無線通信リンクにおける電波品質を計測し、
前記コンピュータが、電波品質の計測結果に基づき、前記ファームウェアを更新する更新ファームウェアを前記無線通信リンクを介して前記組込み機器に送信すべきか否かを判定するファームウェア更新方法。
【請求項１０】
ファームウェアが搭載されている組込み機器との無線通信リンクにおける電波品質を計測する電波品質計測処理と、
前記電波品質計測処理の計測結果に基づき、前記ファームウェアを更新する更新ファームウェアを前記無線通信リンクを介して前記組込み機器に送信すべきか否かを判定する判定処理とをコンピュータに実行させるファームウェア更新プログラム。
【発明の詳細な説明】
【技術分野】
【０００１】
本発明は、組込み機器のファームウェアの更新に関する。
【背景技術】
【０００２】
一般に、組込み機器の動作を規定するソフトウェアをファームウェアと呼ぶ。
近年、組込み機器のネットワーク化に伴い、組込み機器の機能強化やバグフィックスを目的として、エンドユーザがファームウェアを更新する機会が増えている。
このようなエンドユーザによるファームウェアの更新は、冷蔵庫、エアコンディショナー、サーモスタットといった従来はネットワークに接続されていない組込み機器においても、これら組込み機器がネットワークに接続されることによって必要となっている。【０００３】
エンドユーザによるファームウェアの更新は、例えば、以下の手順で行われる。
（１）エンドユーザが組込み機器の製造業者のウェブサイトから更新用のファームウェア（以下、更新ファームウェアという）のファイルを取得する。
（２）エンドユーザは、更新ファームウェアのファイルを対象の組込み機器へ入力する。
（３）組込み機器が、現在搭載されているファームウェアを更新ファームウェアに書き換える。【０００４】
また、ファームウェアの更新に関係する技術として、特許文献１に開示の技術がある。
【先行技術文献】
【特許文献】
【０００５】
【特許文献１】特開２０１６−８５６５４号公報
【発明の概要】
【発明が解決しようとする課題】
【０００６】
Ｗｉ−Ｆｉルータのファームウェアの更新を一般のエンドユーザが実施しないことによって、Ｗｉ−Ｆｉルータが踏み台と呼ばれる攻撃の中継地点として悪用される社会問題がある。この問題からわかるように、一般のエンドユーザにファームウェア更新を依頼しても、実際にはファームウェアの更新が十分に行われていない場合が多い。
一般に、Ｗｉｎｄｏｗｓ（登録商標）などの高級ＯＳ（Ｏｐｅｒａｔｉｎｇ  Ｓｙｓｔｅｍ）ではパッチの適用によりファームウェアの更新が容易である。これに対して、組込み機器ではファームウェアの更新はＯＳを含むプログラム全体の書き換えに相当することが多い。このため、組込み機器においてファームウェアの更新に失敗すると、組込み機器のＯＳが起動しなくなる可能性がある。そして、一度ＯＳが起動しなくなった組込み機器を一般のエンドユーザが復帰させることは困難である。
このように、ＯＳが起動しなくなるリスクは、一般のエンドユーザが組込み機器のファームウェアの更新を実施しない理由の一つになっていると考えられる。【０００７】
本発明は、ユーザが組込み機器のファームウェアの更新に成功する可能性を高めることを主な目的とする。
【課題を解決するための手段】
【０００８】
本発明に係るゲートウェイ装置は、
ファームウェアが搭載されている組込み機器との無線通信リンクにおける電波品質を計測する電波品質計測部と、
前記電波品質計測部の計測結果に基づき、前記ファームウェアを更新する更新ファームウェアを前記無線通信リンクを介して前記組込み機器に送信すべきか否かを判定する判定部とを有する。
【発明の効果】
【０００９】
本発明によれば、ユーザはファームウェアの更新に成功する可能性の高いタイミングである、電波品質が良好なタイミングにてファームウェアの更新を実施することができる。このため、本発明によれば、ユーザが組込み機器のファームウェアの更新に成功する可能性を高めることができる。
【図面の簡単な説明】
【００１０】
【図１】実施の形態１に係るファームウェア更新システムの構成例を示す図。
【図２】実施の形態１に係るゲートウェイ装置でのファームウェア更新画面の例を示す図。
【図３】実施の形態１に係るゲートウェイ装置でのファームウェア更新画面の例を示す図。
【図４】実施の形態１に係るゲートウェイ装置の機能構成例を示す図。
【図５】実施の形態１に係るゲートウェイ装置の動作例を示すフローチャート図。
【図６】実施の形態１に係るゲートウェイ装置の動作例を示すフローチャート図。
【図７】実施の形態１に係るゲートウェイ装置のハードウェア構成例を示す図。
【発明を実施するための形態】
【００１１】
以下、本発明の実施の形態について、図を用いて説明する。以下の実施の形態の説明及び図面において、同一の符号を付したものは、同一の部分または相当する部分を示す。
【００１２】
実施の形態１．
＊＊＊構成の説明＊＊＊
図１は、本実施の形態に係るファームウェア更新システム１００の構成例を示す。
本実施の形態に係るファームウェア更新システム１００は、機器ベンダＡ１０１ａ、更新ファームウェアＡ１０２ａ、機器ベンダＢ１０１ｂ、更新ファームウェアＢ１０２ｂ、ゲートウェイ装置１０５、組込み機器Ａ１０６ａ、組込み機器Ｂ１０６ｂ及びサーバ装置１０９で構成される。
【００１３】
組込み機器Ａ１０６ａ及び組込み機器Ｂ１０６ｂは、例えば宅内やビル、工場などの任意の空間に設置される。組込み機器Ａ１０６ａ及び組込み機器Ｂ１０６ｂは、それぞれ、エアコンディショナー、冷蔵庫、テレビ、リモートコントローラ、サーモスタット等である。
組込み機器Ａ１０６ａにはマイクロコンピュータＡ１０７ａが含まれる。また、組込み機器Ｂ１０６ｂにはマイクロコンピュータＢ１０７ｂが含まれる。
マイクロコンピュータＡ１０７ａは、ファームウェアＡ（図１では不図示）を実行する。マイクロコンピュータＢ１０７ｂは、ファームウェアＢ（図１では不図示）を実行する。
以下では、組込み機器Ａ１０６ａ及び組込み機器Ｂ１０６ｂを区別する必要がない場合は、両者をまとめて組込み機器１０６という。
【００１４】
機器ベンダＡ１０１ａは、組込み機器Ａ１０６ａの製造者又は当該製造者からファームウェアの更新処理を委託された事業者（以下、両者をまとめて事業者という）である。機器ベンダＡ１０１ａは、組込み機器Ａ１０６ａに搭載されているファームウェアＡを更新するための更新ファームウェアＡ１０２ａを保持している。
機器ベンダＢ１０１ｂは、組込み機器Ｂ１０６ｂの事業者である。機器ベンダＢ１０１ｂは、組込み機器Ｂ１０６ｂに搭載されているファームウェアＢを更新するための更新ファームウェアＢ１０２ｂを保持している。
そして、機器ベンダＡ１０１ａは、更新ファームウェアＡ１０２ａをサーバ装置１０９にアップロードし、機器ベンダＢ１０１ｂは、更新ファームウェアＢ１０２ｂをサーバ装置１０９にアップロードする。
以下では、更新ファームウェアＡ１０２ａ及び更新ファームウェアＢ１０２ｂを区別する必要がない場合は、両者をまとめて更新ファームウェア１０２という。
【００１５】
サーバ装置１０９は、更新ファームウェア１０２をゲートウェイ装置１０５に配信する。
【００１６】
ゲートウェイ装置１０５は、可搬ゲートウェイ装置である。ゲートウェイ装置１０５は、例えば、スマートフォンである。
ゲートウェイ装置１０５は定期的にサーバ装置１０９へアクセスし、更新ファームウェア１０２の有無を確認する。そして、サーバ装置１０９に更新ファームウェア１０２がある場合に、ゲートウェイ装置１０５は、サーバ装置１０９から更新ファームウェア１０２をダウンロードする。
そして、ゲートウェイ装置１０５は、ダウンロードした更新ファームウェア１０２をＢｌｕｅｔｏｏｔｈ（登録商標）、ＺｉｇＢｅｅ等の近距離無線通信により組込み機器１０６に送信する。
組込み機器Ａ１０６ａは、更新ファームウェアＡ１０２ａを受信すると、ファームウェアＡを更新ファームウェアＡ１０２ａで書き換える。また、組込み機器Ｂ１０６ｂは、更新ファームウェアＢ１０２ｂを受信すると、ファームウェアＢを更新ファームウェアＢ１０２ｂで書き換える、
【００１７】
図４はゲートウェイ装置１０５の機能構成を示し、図７はゲートウェイ装置１０５のハードウェア構成例を示す。
先ず、図７を参照して、ゲートウェイ装置１０５のハードウェア構成例を説明する。
【００１８】
図７に示すように、ゲートウェイ装置１０５は、プロセッサ６０１、ＲＯＭ（Ｒｅａｄ  Ｏｎｌｙ  Ｍｅｍｏｒｙ）６０２、ＲＡＭ（Ｒａｎｄｏｍ  Ａｃｃｅｓｓ  Ｍｅｍｏｒｙ）６０３、ディスプレイ６０４、近距離無線通信コントローラ６０５、フラッシュメモリ６０６、インターネット通信コントローラ６０７、センサ６０８から構成される。
【００１９】
プロセッサ６０１は、図４に示す更新制御部４０３を実現する。つまり、プロセッサ６０１は、更新制御部４０３の機能を実現するプログラムを実行する。
更新制御部４０３の機能を実現するプログラムはフラッシュメモリ６０６に格納されている。そして、更新制御部４０３の機能を実現するプログラムはＲＡＭ６０３にロードされて、プロセッサ６０１により実行される。
図７では、プロセッサ６０１が更新制御部４０３の機能を実現するプログラムを実行している状態を模式的に示している。
【００２０】
ＲＯＭ６０２は、ゲートウェイ装置１０５で用いられる設定情報等を記憶する。
フラッシュメモリ６０６は、更新制御部４０３を実現するプログラムを記憶するとともに、図４の記憶部４１０として、更新ファームウェア１０２を記憶する。
【００２１】
ディスプレイ６０４は、後述するファームウェア更新画面等の表示画面を表示する。
ディスプレイ６０４は、例えば、タッチパネル式のディスプレイである。このため、ゲートウェイ装置１０５のユーザはディスプレイ６０４に表示されるボタン、チェックボックス等を操作することでゲートウェイ装置１０５への指示を入力することができる。ディスプレイ６０４は、図４のユーザインターフェース部４０９を実現する。
【００２２】
近距離無線通信コントローラ６０５は、図４の近距離無線通信部４０２を実現する。近距離無線通信コントローラ６０５は、例えば、Ｂｌｕｅｔｏｏｔｈ（登録商標）、ＺｉｇＢｅｅ用の無線通信チップである。
インターネット通信コントローラ６０７は、図４のインターネット通信部４０１を実現する。インターネット通信コントローラ６０７は、具体的には、４Ｇ、ＬＴＥ（Ｌｏｎｇ  Ｔｅｒｍ  Ｅｖｏｌｕｔｉｏｎ）（登録商標）、Ｗｉｆｉ等の通信チップである。
【００２３】
センサ６０８は、ゲートウェイ装置１０５の移動を検出する。センサ６０８は、図４のゲートウェイ移動検出部４０８を実現する。
【００２４】
次に、図４を参照して、ゲートウェイ装置１０５の機能構成例を説明する。
【００２５】
インターネット通信部４０１は、サーバ装置１０９から更新ファームウェア１０２を受信する。インターネット通信部４０１は、例えば、４Ｇ、ＬＴＥ（登録商標）、Ｗｉ−ｆｉ等による通信を行う。
【００２６】
近距離無線通信部４０２は、組込み機器Ａ１０６ａに更新ファームウェアＡ１０２ａを送信し、また、組込み機器Ｂ１０６ｂに更新ファームウェアＢ１０２ｂを送信する。近距離無線通信部４０２は、例えば、Ｂｌｕｅｔｏｏｔｈ（登録商標）、Ｌｏｗ  Ｅｎｅｒｇｙ、ＺｉｇＢｅｅ等による通信を行う。
【００２７】
更新制御部４０３は、組込み機器１０６のファームウェアを更新するための制御を行う。
更新制御部４０３は、更新実行部４０４、更新完了時間予測部４０５、判定部４０６及び電波品質計測部４０７で構成される。
【００２８】
更新実行部４０４は、インターネット通信部４０１により受信された更新ファームウェア１０２を記憶部４１０に格納する。
また、更新実行部４０４は、ユーザインターフェース部４０９によりユーザに提示されるファームウェア更新画面（図２、図３）を生成する。
更に、更新実行部４０４は、判定部４０６により更新ファームウェア１０２を組込み機器１０６に送信すべきと判定され、また、ゲートウェイ装置１０５のユーザから更新ファームウェア１０２の組込み機器１０６への送信が指示された場合に、記憶部４１０内の更新ファームウェア１０２を近距離無線通信部４０２を介して組込み機器１０６に送信する。
【００２９】
更新完了時間予測部４０５は、ファームウェアの更新が完了するまでの時間である更新完了時間を予測する。
【００３０】
電波品質計測部４０７は、組込み機器１０６との無線通信リンクにおける電波品質を計測する。つまり、電波品質計測部４０７は、近距離無線通信部４０２から更新制御部４０３経由でＲＳＳＩ（Ｒｅｃｅｉｖｅｄ  Ｓｉｇｎａｌ  Ｓｔｒｅｎｇｔｈ  Ｉｎｄｉｃａｔｏｒ）の情報を受け取り、電波品質を計測する。そして、電波品質計測部４０７は、電波品質の計測結果を更新実行部４０４に出力する。なお、無線通信リンクとは、近距離無線通信部４０２が組込み機器１０６との通信に用いる無線通信路であり、Ｂｌｕｅｔｏｏｔｈ（登録商標）、Ｌｏｗ  Ｅｎｅｒｇｙ、ＺｉｇＢｅｅ等の無線通信路である。
また、電波品質計測部４０７は、無線通信リンクにおける電波品質を計測して、組込み機器１０６の移動を検出する。電波品質計測部４０７は、機器移動検出部としても機能する。
なお、電波品質計測部４０７により行われる動作は、電波品質計測処理に相当する。
【００３１】
判定部４０６は、電波品質計測部４０７の計測結果を更新実行部４０４から取得する。そして、判定部４０６は、更新ファームウェア１０２を無線通信リンクを介して組込み機器１０６に送信すべきか否かを判定する。そして、判定部４０６は、判定結果を更新実行部４０４に出力する。
なお、判定部４０６により行われる動作は、判定処理に相当する。
【００３２】
ゲートウェイ移動検出部４０８は、ゲートウェイ装置１０５の移動を検出する。
【００３３】
記憶部４１０は、インターネット通信部４０１が受信した更新ファームウェア１０２を記憶する。
【００３４】
ユーザインターフェース部４０９は、図２及び図３に例示するファームウェア更新画面をユーザに表示する。図２及び図３のファームウェア更新画面は、前述のように、更新実行部４０４により生成される。
図２は、組込み機器１０６のファームウェアの更新前にユーザインターフェース部４０９により表示されるファームウェア更新画面の例を示す。一方、図３は、組込み機器１０６のファームウェアの更新中にユーザインターフェース部４０９により表示されるファームウェア更新画面の例を示す。
ユーザインターフェース部４０９は、計測結果出力部、更新完了時間出力部及びメッセージ出力部の例である。
【００３５】
以下、図２のファームウェア更新画面及び図３のファームウェア更新画面の詳細を説明する。
【００３６】
図２において、電波品質表示領域２０１では、電波品質計測部４０７により計測された電波品質が表示される。電波品質表示領域２０１では、過去数秒から数十秒間のＲＳＳＩの平均値がグラフ等のインジケータにより可視化される。
電波品質が既定の品質以上の組込み機器１０６に対しては「更新可能な機器」というメッセージが表示される。一方、電波品質が既定の品質未満の組込み機器１０６に対しては「更新保留中の機器」というメッセージが表示される。また、電波品質が既定の品質未満の組込み機器１０６に対しては「電波の届く位置に移動してください」というメッセージが表示され、ユーザに電波品質が不足している組込み機器１０６にゲートウェイ装置１０５を接近させるようユーザに依頼する。図２の例では、ゲートウェイ装置１０５とエアコンディショナーとの間の無線通信リンクでの電波品質は既定の品質以上である。一方、ゲートウェイ装置１０５と冷蔵庫との間の無線通信リンクでの電波品質は既定の品質未満である。
更新制御領域２０２では、電波品質が既定の品質以上の組込み機器１０６に対してチェックボックスが表示される。ユーザは、組込み機器１０６のファームウェア更新を行う場合は、チェックボックスをタップしてチェックボックスを選択状態にする。電波品質が既定の品質未満の組込み機器１０６に対してはチェックボックスが表示されないので、ユーザは電波品質が良好ではない組込み機器１０６のファームウェア更新を指示することはできない。
更新実行領域２０３では、１つ以上の組込み機器１０６のチェックボックスが選択状態になった場合に、更新ボタンが表示される。ユーザは組込み機器１０６のファームウェア更新を行う場合に、更新ボタンを押下する。
更新実行部４０４は、ユーザにより更新ボタンが押下された場合に、更新制御領域２０２のチェックボックスが選択状態となっている組込み機器１０６のファームウェア更新がユーザにより指示されたと判定する。
【００３７】
図３において、完了時間表示領域３０１では、更新完了時間予測部４０５で予測された更新完了時間が表示される。
警告表示領域３０２では、ファームウェアの更新中にゲートウェイ装置１０５の移動がゲートウェイ移動検出部４０８により検出された場合に、ゲートウェイ装置１０５の移動を中止するようユーザに依頼する警告メッセージが表示される。
ゲートウェイ装置１０５が移動することによりファームウェア更新中の組込み機器１０６との無線通信リンクの電波品質が変化する可能性がある。このため、ゲートウェイ装置１０５の移動が検出された場合には、警告表示領域３０２にゲートウェイ装置１０５の移動の停止を依頼する警告メッセージが表示される。図３の例では「更新中は移動しないでください」という警告メッセージが表示される例を示す。図３に例示のメッセージの代わりに、点滅、振動、音声でゲートウェイ装置１０５の移動の中止を依頼するようにしてもよい。また、ファームウェア更新中の組込み機器１０６がリモートコントローラのような可搬組込み機器である場合は、ファームウェア更新中の組込み機器１０６をユーザが移動させる場合がある。このような場合には、組込み機器１０６とゲートウェイ装置１０５と間の無線通信リンクの電波品質が変化する。このため、ファームウェア更新中の組込み機器１０６との無線通信リンクの電波品質が悪化した場合には、「更新中は機器を移動させないでください」という警告メッセージが表示される。
【００３８】
＊＊＊動作の説明＊＊＊
次に、図５及び図６を参照して、本実施の形態に係るゲートウェイ装置１０５の動作例を説明する。
【００３９】
更新実行部４０４が、近距離無線通信部４０２を用いて組込み機器１０６からの電波を検索する。そして、更新実行部４０４が、組込み機器１０６からの電波を捕捉した場合（ステップＳ５０１でＹＥＳ）は、組込み機器１０６からの識別情報を近距離無線通信部４０２を介して受信し、更に、更新実行部４０４は、受信した識別情報をインターネット通信部４０１からサーバ装置１０９に送信する（ステップＳ５０２）。
【００４０】
サーバ装置１０９は、ゲートウェイ装置１０５から送信された識別情報を基に、該当する組込み機器１０６のファームウェアの更新状況を検索する。更新ファームウェア１０２が存在していれば、サーバ装置１０９は、ゲートウェイ装置１０５に更新ファームウェア１０２が存在することを通知する。
ゲートウェイ装置１０５では、更新実行部４０４が、サーバ装置１０９から更新ファームウェア１０２が存在することを通知された場合（ステップＳ５０３でＹＥＳ）に、インターネット通信部４０１を介してサーバ装置１０９から更新ファームウェア１０２をダウンロードする（ステップＳ５０４）。
また、更新実行部４０４は、ダウンロードされた更新ファームウェア１０２を記憶部４１０に格納する。
なお、ステップＳ５０１において複数の組込み機器１０６の電波が捕捉されていれば、更新実行部４０４は、電波が捕捉された全ての組込み機器１０６に対してステップＳ５０２〜Ｓ５０４の動作を行う。
【００４１】
次に、電波品質計測部４０７が、ステップＳ５０４において更新ファームウェアがダウンロードされた組込み機器１０６との無線通信リンクでの電波品質を計測する（ステップＳ５０５）。具体的には、電波品質計測部４０７は、ＲＳＳＩ値から電波品質を計測する。そして、電波品質計測部４０７は、計測結果を更新実行部４０４に出力する。
【００４２】
次に、更新実行部４０４が、ステップＳ５０４において更新ファームウェア１０２がダウンロードされた組込み機器１０６が表示されるファームウェア更新画面（図２）を生成し、ユーザインターフェース部４０９がファームウェア更新画面を表示する（ステップＳ５０６）。
なお、この時点で表示されるファームウェア更新画面には、組込み機器１０６の名称（図２のエアコンディショナー等）、組込み機器１０６のＩＤ（図２のＩＤ：００２６９２０８ａｂｅ３等）、組込み機器１０６のバージョン（図２のＶｅｒ１．０（Ｖｅｒ２．０への更新）等）が示される。また、電波品質表示領域２０１に電波品質を表すインジケータが表示される。一方で、いずれの組込み機器１０６に対しても「更新可能な機器」は示されず、全ての組込み機器１０６に対して「更新保留中の機器」が示される。また、いずれの組込み機器１０６に対しても、更新制御領域２０２にはチェックボックスは示されない。
また、更新実行部４０４は、電波品質計測部４０７の計測結果を判定部４０６に出力する。
【００４３】
判定部４０６は、電波品質計測部４０７で計測された電波品質が良好か否かを判定する（ステップＳ５０７）。具体的には、判定部４０６は、ＲＳＳＩ値が一定時間閾値を超えているか否かを判定する。ＲＳＳＩ値が一定時間閾値を超えている場合は、電波品質が良好であると判定する。
【００４４】
いずれかの組込み機器１０６で電波品質が良好と判定された場合（ステップＳ５０７でＹＥＳ）は、更新実行部４０４は、ファームウェア更新画面を更新する（ステップＳ５０８）。より具体的には、ステップＳ５０６で生成されたファームウェア更新画面に対して、更新制御領域２０２にチェックボックスが追加され、電波品質が良好な組込み機器１０６に対して「更新可能な機器」が示されるファームウェア更新画面を生成する。そして、ユーザインターフェース部４０９が、このファームウェア更新画面を表示する。
【００４５】
次に、更新実行部４０４は、ユーザがファームウェアの更新を指示したか否かを判定する（ステップＳ５０９）。
ユーザは、ファームウェアの更新を行う場合は、更新対象の組込み機器１０６のチェックボックスを有効化し、更新実行領域２０３の更新ボタンを押下する。
更新実行部４０４は、更新実行領域２０３の更新ボタンがユーザにより押下されたか否かを判定する。
【００４６】
ユーザがファームウェアの更新を指示している場合（ステップＳ５０９でＹＥＳ）は、更新実行部４０４は、チェックボックスが有効化されている組込み機器１０６のファームウェアの更新を開始する（ステップＳ５１０）。
具体的には、更新実行部４０４は、記憶部４１０に格納されている更新ファームウェア１０２を近距離無線通信部４０２を介して、対象の組込み機器１０６に送信する。
【００４７】
ファームウェアの更新中に電波品質の悪化又はゲートウェイ装置１０５の移動が検出された場合（ステップＳ５１１でＹＥＳ）は、更新実行部４０４は、図３に示すように警告表示領域３０２に警告メッセージが示されるファームウェア更新画面を生成し、ユーザインターフェース部４０９がこのファームウェア更新画面を表示する（ステップＳ５１２）。
具体的には、ユーザインターフェース部４０９は、前述したように、「更新中は移動しないでください」又は「更新中は機器を移動させないでください」との警告メッセージを表示する。
なお、電波品質が悪化した場合には、電波品質計測部４０７から更新実行部４０４に電波品質の悪化が通知される。また、ゲートウェイ装置１０５が移動している場合は、ゲートウェイ移動検出部４０８から更新実行部４０４にゲートウェイ装置１０５の移動が通知される。
【００４８】
電波品質の悪化又はゲートウェイ装置１０５の移動が検出されない場合（ステップＳ５１１でＮＯ）は、更新実行部４０４が、図３に示すように完了時間表示領域３０１に更新完了時間が示されるファームウェア更新画面を生成し、ユーザインターフェース部４０９がこのファームウェア更新画面を表示する（ステップＳ５１３）。
具体的には、ステップＳ５０９でファームウェアの更新が開始されて以降、更新完了時間予測部４０５が更新完了時間を予測しており、更新実行部４０４は、更新完了時間予測部４０５が予測する更新完了時刻がリアルタイムに表示されるファームウェア更新画面を生成し、ユーザインターフェース部４０９がこのファームウェア更新画面を表示する。
更新完了時間予測部４０５は、インターネット通信部４０１から分割して送信される更新ファームウェア１０２の送信状態によって更新完了時間を予測する。例えば、１００ＫＢの更新ファームウェア１０２が１ＫＢごとに分割して送信されている場合に、５０ＫＢが送付済みであれば、進捗状況を５０／１００と判定して更新完了時間を予測する。
【００４９】
組込み機器１０６はファームウェアの更新が完了した場合に、ゲートウェイ装置１０５に完了通知を送信する。
ゲートウェイ装置１０５では、更新実行部４０４が近距離無線通信部４０２を介してファームウェアの更新対象の全ての組込み機器１０６から完了通知を受信した場合（ステップＳ５１４でＹＥＳ）に、処理を終了する。
【００５０】
＊＊＊実施の形態の効果の説明＊＊＊
本実施の形態によれば、ユーザはファームウェアの更新に成功する可能性の高いタイミングである、電波品質が良好なタイミングにてファームウェアの更新を実施することができる。このため、本実施の形態によれば、ユーザが組込み機器のファームウェアの更新に成功する可能性を高めることができる。
【００５１】
＊＊＊ハードウェア構成の説明＊＊＊
最後に、ゲートウェイ装置１０５のハードウェア構成の補足説明を行う。
図７に示すプロセッサ６０１は、プロセッシングを行うＩＣ（Ｉｎｔｅｇｒａｔｅｄ  Ｃｉｒｃｕｉｔ）である。
プロセッサ６０１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
また、フラッシュメモリ６０６には、ＯＳ（Ｏｐｅｒａｔｉｎｇ  Ｓｙｓｔｅｍ）も記憶されている。
そして、ＯＳの少なくとも一部がプロセッサ６０１により実行される。
プロセッサ６０１はＯＳの少なくとも一部を実行しながら、更新制御部４０３の機能を実現するプログラムを実行する。
プロセッサ６０１がＯＳを実行することで、タスク管理、メモリ管理、ファイル管理、通信制御等が行われる。
また、ゲートウェイ装置１０５は、プロセッサ６０１を代替する複数のプロセッサを備えていてもよい。これら複数のプロセッサは、更新制御部４０３の機能を実現するプログラムの実行を分担する。それぞれのプロセッサは、プロセッサ６０１と同じように、プロセッシングを行うＩＣである。
また、更新制御部４０３の処理の結果を示す情報やデータや信号値や変数値が、ＲＡＭ６０３、フラッシュメモリ６０６、プロセッサ６０１内のレジスタ及びキャッシュメモリの少なくともいずれかに記憶される。
また、更新制御部４０３の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００５２】
また、更新制御部４０３の「部」を、「回路」又は「工程」又は「手順」又は「処理」に読み替えてもよい。
また、ゲートウェイ装置１０５は、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）といった電子回路により実現されてもよい。
この場合は、更新制御部４０３は、それぞれ電子回路の一部として実現される。
なお、プロセッサ及び上記の電子回路を総称してプロセッシングサーキットリーともいう。
【符号の説明】
【００５３】
１００  ファームウェア更新システム、１０１ａ  機器ベンダＡ、１０１ｂ  機器ベンダＢ、１０２  更新ファームウェア、１０２ａ  更新ファームウェアＡ、１０２ｂ  更新ファームウェアＢ、１０５  ゲートウェイ装置、１０６  組込み機器、１０６ａ  組込み機器Ａ、１０６ｂ  組込み機器Ｂ、１０７ａ  マイクロコンピュータＡ、１０７ｂ  マイクロコンピュータＢ、１０９  サーバ装置、２０１  電波品質表示領域、２０２  更新制御領域、２０３  更新実行領域、３０１  完了時間表示領域、３０２  警告表示領域、４０１  インターネット通信部、４０２  近距離無線通信部、４０３  更新制御部、４０４  更新実行部、４０５  更新完了時間予測部、４０６  判定部、４０７  電波品質計測部、４０８  ゲートウェイ移動検出部、４０９  ユーザインターフェース部、４１０  記憶部、６０１  プロセッサ、６０２  ＲＯＭ、６０３  ＲＡＭ、６０４  ディスプレイ、６０５  近距離無線通信コントローラ、６０６  フラッシュメモリ、６０７  インターネット通信コントローラ、６０８  センサ。
【図１】
2018020584.tif 000003
【図２】
2018020584.tif 000004
【図３】
2018020584.tif 000005
【図４】
2018020584.tif 000006
【図５】
2018020584.tif 000007
【図６】
2018020584.tif 000008
【図７】
2018020584.tif 000009
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
可搬なゲートウェイ装置であって、
ファームウェアが搭載されている組込み機器との無線通信リンクにおける電波品質を計測する電波品質計測部と、
前記電波品質計測部の計測結果に基づき、前記ファームウェアを更新する更新ファームウェアを前記無線通信リンクを介して前記組込み機器に送信すべきか否かを判定する判定部と、
前記ゲートウェイ装置の移動を検出するゲートウェイ移動検出部と、
前記ゲートウェイ移動検出部により前記ゲートウェイ装置の移動が検知された場合に、前記ゲートウェイ装置のユーザに前記ゲートウェイ装置の移動を停止するよう依頼するメッセージを出力するメッセージ出力部とを有するゲートウェイ装置。
【請求項２】
ゲートウェイ装置であって、
ファームウェアが搭載されている可搬な組込み機器との無線通信リンクにおける電波品質を計測する電波品質計測部と、
前記電波品質計測部の計測結果に基づき、前記ファームウェアを更新する更新ファームウェアを前記無線通信リンクを介して前記組込み機器に送信すべきか否かを判定する判定部と、
前記組込み機器の移動を検出する機器移動検出部と、
前記機器移動検出部により前記組込み機器の移動が検知された場合に、前記ゲートウェイ装置のユーザに前記組込み機器の移動を停止するよう依頼するメッセージを出力するメッセージ出力部とを有するゲートウェイ装置。
【請求項３】
前記ゲートウェイ装置は、更に、
前記判定部により前記更新ファームウェアを前記無線通信リンクを介して前記組込み機器に送信すべきと判定され、前記ゲートウェイ装置のユーザから前記更新ファームウェアの前記組込み機器への送信が指示された場合に、前記更新ファームウェアを前記無線通信リンクを介して前記組込み機器に送信する更新実行部を有する請求項１又は２に記載のゲートウェイ装置。
【請求項４】
前記ゲートウェイ装置は、更に、
前記電波品質計測部の計測結果を出力する計測結果出力部を有する請求項１又は２に記載のゲートウェイ装置。
【請求項５】
前記電波品質計測部は、
複数の組込み機器について、組込み機器ごとに無線通信リンクにおける電波品質を計測し、
前記計測結果出力部は、
組込み機器ごとに前記電波品質計測部の計測結果を出力する請求項４に記載のゲートウェイ装置。
【請求項６】
前記ゲートウェイ装置は、可搬ゲートウェイ装置であり、
前記計測結果出力部は、
前記電波品質計測部により計測された電波品質が既定の品質未満である組込み機器に前記ゲートウェイ装置を接近させるよう前記ゲートウェイ装置のユーザに依頼するメッセージを出力する請求項５に記載のゲートウェイ装置。
【請求項７】
前記ゲートウェイ装置は、更に、
前記ファームウェアの更新が完了するまでの時間である更新完了時間を予測する更新完了時間予測部と、
前記更新完了時間予測部により予測された更新完了時間を出力する更新完了時間出力部とを有する請求項１又は２に記載のゲートウェイ装置。
【請求項８】
可搬なゲートウェイ装置が、ファームウェアが搭載されている組込み機器との無線通信リンクにおける電波品質を計測し、
前記ゲートウェイ装置が、電波品質の計測結果に基づき、前記ファームウェアを更新する更新ファームウェアを前記無線通信リンクを介して前記組込み機器に送信すべきか否かを判定し、
前記ゲートウェイ装置が、前記ゲートウェイ装置の移動を検出し、
前記ゲートウェイ装置の移動が検知された場合に、前記ゲートウェイ装置が、前記ゲートウェイ装置のユーザに前記ゲートウェイ装置の移動を停止するよう依頼するメッセージを出力するファームウェア更新方法。
【請求項９】
コンピュータが、ファームウェアが搭載されている可搬な組込み機器との無線通信リンクにおける電波品質を計測し、
前記コンピュータが、電波品質の計測結果に基づき、前記ファームウェアを更新する更新ファームウェアを前記無線通信リンクを介して前記組込み機器に送信すべきか否かを判定し、
前記コンピュータが、前記組込み機器の移動を検出し、
前記組込み機器の移動が検知された場合に、前記コンピュータが、前記コンピュータのユーザに前記組込み機器の移動を停止するよう依頼するメッセージを出力するファームウェア更新方法。
【請求項１０】
可搬なゲートウェイ装置に、
ファームウェアが搭載されている組込み機器との無線通信リンクにおける電波品質を計測する電波品質計測処理と、
前記電波品質計測処理の計測結果に基づき、前記ファームウェアを更新する更新ファームウェアを前記無線通信リンクを介して前記組込み機器に送信すべきか否かを判定する判定処理と、
前記ゲートウェイ装置の移動を検出するゲートウェイ移動検出処理と、
前記ゲートウェイ移動検出処理により前記ゲートウェイ装置の移動が検知された場合に、前記ゲートウェイ装置のユーザに前記ゲートウェイ装置の移動を停止するよう依頼するメッセージを出力するメッセージ出力処理とを実行させるファームウェア更新プログラム。
【請求項１１】
コンピュータに、
ファームウェアが搭載されている可搬な組込み機器との無線通信リンクにおける電波品質を計測する電波品質計測処理と、
前記電波品質計測処理の計測結果に基づき、前記ファームウェアを更新する更新ファームウェアを前記無線通信リンクを介して前記組込み機器に送信すべきか否かを判定する判定処理と、
前記組込み機器の移動を検出する機器移動検出処理と、
前記機器移動検出処理により前記組込み機器の移動が検知された場合に、前記コンピュータのユーザに前記組込み機器の移動を停止するよう依頼するメッセージを出力するメッセージ出力処理とを実行させるファームウェア更新プログラム。
【国際調査報告】
2018020584.tif 000010
2018020584.tif 000011
2018020584.tif 000012
2018020584.tif 000013